(57)【特許請求の範囲】
【請求項１】
上部開口を有し、かつその内部に袋体が収容される収容部を備えており、この収容部の上縁部に上記袋体の開口縁部を保持する保持手段が設けられている収容体であって、
上記保持手段は、嵌合可能かつ着脱可能な雄部および雌部を有しており、上記雄部および雌部のうちの一方は、上記収容部の上縁部に取り付けられて先端部が自由端とされたべら部に設けられており、他方は、上記収容部に直接的に設けられていることを特徴とする、収容体。
【請求項２】
上部開口を有し、かつその内部に袋体が収容される収容部を備えており、この収容部の上縁部に上記袋体の開口縁部を保持する保持手段が設けられている収容体であって、
上記保持手段は、嵌合可能かつ着脱可能な雄部および雌部を有しており、上記収容部の上縁部には、先端部がそれぞれ自由端とされた一対のべら部が取り付けられており、一方のべら部に上記雄部が設けられているとともに、他方のべら部に上記雌部が設けられていることを特徴とする、収容体。
【請求項３】
請求項１または２に記載した収容体と、この収容体が保持されるカート本体と、を備えていることを特徴とする、運搬カート。
【請求項４】
請求項１または２に記載した収容体と、この収容体が保持される保持体と、を備えていることを特徴とする、ごみ箱。
【発明の詳細な説明】
【０００１】
【発明の属する技術分野】
本願発明は、内部にポリ袋などの袋体が収容保持される収容体、この収容体を備えた運搬カートおよびごみ箱に関する。
【０００２】
【従来の技術および発明が解決しようとする課題】
オフィスビルなどにおいてゴミを回収する場合やホテルなどの施設においてタオルやシーツなどを回収・運搬する場合には、図１１および図１２に示したような運搬カートが使用されている。この運搬カート１は、金属などのパイプ材によって構成されたカート本体２と、このカート本体２に保持された収容体３とを備えている。
【０００３】
上記カート本体２は、たとえば水平部２０ａ，２１ａから左右一対の脚部２０ｂ，２０ｂ，２１ｂ，２１ｂが下方に延出し、下方に開放したコの字状とされた一対のフレーム部材２０，２１を有している。そして、各フレーム部材２０，２１には、それぞれの脚部２０ｂ，２１ｂにおける下方部位の間を掛け渡すようにして架橋部２０ｃ，２１ｃが設けられている。これらのフレーム部材２０，２１は、対向状に配置されて各フレーム部材２０，２１のそれぞれの脚部２０ｂ，２１ｂの間がクロスバー４３，４４を介して連結されており、それぞれの架橋部２０ｃ，２１ｃの間も連結されている。また、各フレーム部材２０，２１のそれぞれの脚部２０ｂ，２１ｂの下端部には、キャスタ５，５がそれぞれ取り付けられて、上記運搬カート１が移動可能とされている。
【０００４】
上記収容体３は、たとえば樹脂製などの可撓性を有する不織布などによって形成されており、４つの側面３０ａ〜３０ｄおよび底面３０ｅを有する上部が開口した箱状ないし袋状とされている。すなわち、４枚の側面３０ａ〜３０ｄによって矩形断面を有するとともに上下が開口した筒状とされ、底部が底面３０ｅによって閉塞された恰好とされている。そして、筒状部を構成するとともに対向配置された一対の側面３０ｃ，３０ｄは、上端部が上部開口からはみ出して折り返ししろ３２，３２とされており、これらの折り返ししろ３２，３２によって各フレーム部材２０，２１のそれぞれの水平部２０ａ，２１ａを巻き込むような恰好で上記収容体３が上記カート本体２に保持されている。なお、上記各水平部２０ａ，２１ａを巻き込んだ状態は、たとえば面フャスナ３３，３３によって維持されている。
【０００５】
このように構成された運搬カート１は、上記収容体３の内部がゴミなどによって汚れたりしないように、あるいは回収したゴミなどを取り扱う際を便宜を考慮して、一般的には上記収容体３の内部にポリ袋などの袋体６を開口状態で収容保持して使用される。そして、実質的には袋体６の内部にゴミなどが収容される。袋体６を上記収容体３内に保持するには、たとえば図１２に仮想線で示したように袋体６の開口端部を外方側に折り返して上記収容体３の開口周縁部に巻き込み、袋体６の開口端部が収容体３の開口周縁部に係止されたような恰好とされる。
【０００６】
この場合、袋体６の開口端部が収容体３の開口周縁部に係止されただけであるので袋体６の保持状態が十分でない。このため、図１２に仮想線で示したように使用者側が洗濯ばさみやクリップなどの器具７を用意し、これらの器具７を用いて袋体６が上記収容体３に保持された状態が維持されている。すなわち、上記した器具７によって上記収容体３および袋体６のそれぞれの開口周縁部を挟持しなければならず、使用者側が洗濯ばさみやクリップなどの器具７を用意しなければならず不便である。
【０００７】
本願発明は、上記した事情のもとで考え出されたものであって、使用者側が洗濯ばさみやクリップなどの器具を用意せずとも、袋体を開口状態を良好に維持して収容保持することができる収容体、これを備えた運搬カートおよびごみ箱を提供することをその課題としている。
【０００８】
【発明の開示】
上記の課題を解決するため、本願発明では、次の技術的手段を講じている。
【０００９】
すなわち、本願発明の第１の側面では、上部開口を有し、かつその内部に袋体が収容される収容部を備えており、この収容部の上縁部に上記袋体の開口縁部を保持する保持手段が設けられている収容体であって、上記保持手段は、嵌合可能かつ着脱可能な雄部および雌部を有しており、上記雄部および雌部のうちの一方は、上記収容部の上縁部に取り付けられて先端部が自由端とされたべら部に設けられており、他方は、上記収容部に直接的に設けられていることを特徴とする収容体、および、上部開口を有し、かつその内部に袋体が収容される収容部を備えており、この収容部の上縁部に上記袋体の開口縁部を保持する保持手段が設けられている収容体であって、上記保持手段は、嵌合可能かつ着脱可能な雄部および雌部を有しており、上記収容部の上縁部には、先端部がそれぞれ自由端とされた一対のべら部が取り付けられており、一方のべら部に上記雄部が設けられているとともに、他方のべら部に上記雌部が設けられていることを特徴とする収容体が提供される。
【００１０】
上記収容体では、上部が開口した収容体の上縁部に上記保持手段が設けられている。このため、上記保持手段によって上記袋体の開口縁部を保持するだけで、上記袋体の開口状態を維持して上記収容部内に袋体を収容することができる。このように、上記収容体では、使用者側が洗濯ばさみやクリップなどを用意せずとも、上記保持手段によって上記収容体にポリ袋などの袋体を良好に保持することができる。
【００１１】
なお、上記収容体としては、上部開口を有しているものであればよく、たとえばこの上部開口を閉塞可能な蓋が上記収容体に一体的に形成されたものであってもよく、また別体形成された蓋が上記収容体に設けられて、上部開口を閉塞可能なように構成されたものであってもよい。
【００１２】
また、上記袋体としては、ビニル製、紙製あるいは布製のものなどのいずれをも使用することができるが、コスト的な面および防水性などを考慮すれば、安価で使い捨て可能であり、しかも防水性に優れるビニル製のものが好適に使用される。
【００１３】
この構成では、上記雄部と上記雌部との間に上記袋体の開口縁部を介在させた状態で上記雄部および雌部を互いに嵌合させるだけで上記袋体が上記収容体内に保持される。上記袋体の開口縁部を介在させた状態で上記雄部と雌部を良好に嵌合させるためには、袋体としては比較的に薄状に形成されたものを使用する必要がある。このため、上記袋体を貫通した状態で上記雄部が上記雌部と嵌合し、袋体が損傷してしまうといった事態が生じかねない。しかしながら、上記袋体が保持されて上記雄部が貫通して上記袋体が損傷したとしても、損傷するのは上記袋体の開口縁部であり、損傷した部位から上記袋体の内部に収容されたゴミなどの収容物がこぼれるようなことはない。また、ゴミを回収する場合などには、袋体を使い回すといったことを考慮する必要はなく、一般的には袋体を使い捨てするため、このような観点からも上記袋体が損傷しても問題はないといえる。結局、上記袋体を上記雄部および雌部を有する保持手段によって保持し、これによって袋体が損傷したとしてもさほど問題は生じない。
【００１５】
上記したいずれの構成の収容体においても、先端部が自由端とされた上記べら部に、上記雄部および雌部のうちの少なくとも一方が設けられている。このため、上記べら部の自由端を操作すれば、上記雄部を上記雌部に容易に嵌合させることができ、また上記雄部を上記雌部から容易に開放することができる。とくに、雄雌嵌合式のホックなどにおいては、上記雌部から上記雄部を開放するのは容易ではなく、上記べら部によって上記雌部から上記雄部を容易に開放できれば使い勝手が向上する。
【００１６】
なお、上記収容体は、布などの可撓性を有する素材によって形成してもよく、また樹脂や金属などの硬質な素材によって形成してもよい。硬質な素材によって上記収容体を構成する場合には、上記収容体自体をごみ箱として使用することもできる。また、上記上部開口を閉塞しうる蓋体を設けるとともに、この蓋体に所定の開口を形成することによって上記収容体をごみ箱として使用することもできる。後述するように、上記収容体をカート本体に保持させて、オフィスビルなどにおいてゴミを回収する場合やホテルなどの施設においてタオルやシーツなどを回収・運搬する場合に使用される運搬カートとして構成することもできる。もちろん、上記収容体を適宜の保持体に保持させてごみ箱として使用することもできる。
【００１７】
本願発明の第２の側面によれば、上述した第１の側面に記載したいずれかの収容体と、この収容体が保持されるカート本体と、を備えていることを特徴とする運搬カートが提供される。
【００１８】
上記運搬カートは、上述した第１の側面に記載した収容体を備えていることから、第１の側面に記載した効果を享受できるのはいうまでもない。すなわち、洗濯ばさみやクリップなどを用意せずとも、上記保持手段によって上記収容体にポリ袋などの袋体を保持することができ、しかも使い勝手が良い運搬カートが提供される。
【００１９】
本願発明の第３の側面によれば、上述した第１の側面に記載したいずれかの収容体と、この収容体が保持される保持体と、を備えていることを特徴とするごみ箱が提供される。
【００２０】
上記保持体としては、たとえばパイプ材などによって骨組みが構成されて、この骨組みが樹脂製や金属製などのパネル材などによって覆い囲まれた構成のもの採用することができる。すなわち、上記保持体としては、上記収容体を内部に収容保持可能な筐体状のものを採用することができる。この場合には、上記収容体の上部開口を直接的に、あるいは間接的に覆いうる蓋を上記収容体に、あるいは保持体に設けてもよい。もちろん、上記保持体にキャスタなどを設けてごみ箱を移動可能に構成してもよい。
【００２１】
本願発明のその他の特徴および利点は、添付図面を参照して以下に行う詳細な説明によって、より明らかとなろう。
【００２２】
【発明の実施の形態】
以下、本願発明の好ましい実施の形態を、図面を参照して具体的に説明する。
【００２３】
図１は、本願発明に係る運搬カートの一例を表す全体斜視図、図２は、上記運搬カートのカート本体を表す全体斜視図、図３は、上記運搬カートの収容体の分解斜視図、図４は、保持手段を説明するための上記収容体の要部を拡大した斜視図、図５は、上記収容体の要部を拡大した断面図である。なお、これらの図において、従来例を説明するために参照した図面に表されていた部材および部分などと同等なものには同一の符号を付してある。
【００２４】
図１に示したように、上記運搬カート１は、移動可能とされたカート本体２と、このカート本体２に保持される収容体３とを備えて構成されている。
【００２５】
図２に良く表れているように、上記カート本体２は、下方に開放したコの字とされた一対のフレーム部材２０，２１を有しており、これらのフレーム部材２０，２１が対向状に一体化された構成とされている。各フレーム部材２０（２１）は、水平部２０ａ（２１ａ）の両端部から下方に向けて左右の脚部２０ｂ（２１ｂ）が延びた構成とされており、各フレーム部材２０（２１）の脚部２０ｂ，２０ｂ（２１ｂ，２１ｂ）の間は、それぞれの下方部位において架橋部２０ｃ（２１ｃ）によって連結されている。なお、フレーム部材２０（２１）は、たとえば金属製などのパイプ材を折り曲げるなどしてコの字状とした後に、架橋部２０ｃ（２１ｃ）を溶接やネジ止めなどによって連結するなどして形成されており、また各脚部２０ｂ，２１ｂの先端部には、キャスタ５，５がそれぞれ取り付けられてカート本体２が移動可能とされている。
【００２６】
各フレーム部材２０，２１は、それぞれの脚部２０ｂ，２１ｂの間および架橋部２０ｃ，２１ｃの間が連結されて互いに対向した状態で一体化されている。各フレーム部材２０（２１）のそれぞれ脚部２０ｂ，２０ｂ（２１ｂ，２１ｂ）には、上部位置に固定式のジョイント４０ａ，４０ａ（４１ａ，４１ａ）が取り付けられているとともに、各ジョイント４０ａ，４０ａ（４１ａ，４１ａ）の下方部位に可動式のジョイント４０ｂ，４０ｂ（４１ｂ，４１ｂ）がそれぞれ取り付けられている。一方のフレーム部材２０（２１）の固定式ジョイント４０ａ（４１ａ）と他方のフレーム部材２１（２０）の可動式ジョイント４１ｂ（４０ｂ）の間は、それぞれクロスフレーム４３，４４を介して連結される。これらのクロスフレーム４３，４４は、それぞれが連結されたジョイント４０ａ，４０ｂ，４１ａ，４１ｂに対して回動可能とされている。また、各フレーム部材２０，２１の架橋部２０ｃ，２１ｃには、互いに対峙するようにして他方の架橋部２１ｃ，２０ｃ側に向けて延びる板状部材２０ｄ，２１ｄの基端部が連結され、各板状部材２０ｄ，２１ｄが架橋部材２０ｃ，２１ｃに対して回動自在とされている。互いに対峙する各板状部材２０ｄ，２１ｄの先端部どうしも連結されており、各板状部材２０ｄ，２１ｄどうしも互いに回動自在とされている。
【００２７】
このように構成されたカート本体２は、対向配置されたフレーム部材２０，２１どうしが互いに近接離間可能とされている。各フレーム部材２０，２１が最も離間した状態では、各板状部材２０ｄ，２１ｄどうしが直線状に連結されているが、各板状部材２０ｄ，２１ｄの連結部分を折り曲げつつ各フレーム部材２０，２１を近接させるような力を作用させれば、各フレーム部材２０，２１が容易に近接させられる。このとき、各板状部材２０ｄ，２１ｄは、それぞれが連結された架橋部２０ｃ，２１ｃを支点として回動して各架橋部２０ｃ，２１ｃ間の距離が小さくなることに対応する。また、各可動式のジョイント４０ｂ，４１ｂが下動するとともに、各クロスフレーム４３，４４が各ジョイント４０ａ，４０ｂ，４１ａ，４１ｂに対して回動することによって各脚部２０ｂ，２１ｂの間の距離が小さくなることに対応している。このように、上記カート本体２は、各フレーム部材２０，２１どうしが互いに近接離間可能とされているため、カート本体２（運搬カート１）を使用しない場合には、各フレーム部材２０，２１を近接させてかさばらない状態で収納しておくことができる。
【００２８】
上記収容体３は、図１に良く表れているように上部が開口がした有底袋状ないし箱状とされているとともに、開口周縁部には、後述するポリ袋などの袋体を上記収容体３内に保持するための保持手段４が上記収容体３の内面側に計４個設けられている。すなわち、上記収容体３は、第１ないし第４の側面３０ａ〜３０ｃによって構成された矩形断面を有する筒状部の底部が底面３０ｅによって閉塞された恰好とされている。図３に良く表れているように、互いに対向する第１側面３０ａおよび第２側面３０ｂ、ならびに底面３０ｅは、一枚布とされた第１シート材３０Ａによって構成されており、互いに対向する第３側面３０ｃおよび第４側面３０ｄは、第２シート材３０Ｂおよび第３シート材３０Ｃによってそれぞれ構成されている。各シート材３０Ａ〜３０Ｃは、たとえば樹脂製の不織布などによって形成されており、各シート材３０Ａ〜３０Ｃが縫製などの手段によって接続されて上記収容体３が形成されている。なお、上記収容体３としては、上部開口を閉塞しうる蓋が一体的に形成されたものを採用することもできる。
【００２９】
本実施形態では、第２シート材３０Ｂおよび第３シート材３０Ｃの上縁端が縁取り用布３１Ｂ，３１Ｃが縫製されて縁取られ、縁取り用布３１Ｂ，３１Ｃとともに上記各保持手段４が縫製固定されており、第２および第３シート材３０Ｂ，３０Ｃの側縁および下縁が第１シート材３０Ａの側縁と縫製により接続されている。なお、第１シート材３０Ａの長手寸法は、第２および第３シート材の両側縁および下縁のそれぞれの長さを合計した寸法より大きくなされており、第１シート材３０Ａの長手方向の両端部がはみ出すようにして各シート材３０Ａ，３０Ｂ，３０Ｃがそれぞれ接続されている。第１シート材３０Ａがはみ出した部分は、上記収容体３を上記カート本体２に取り付ける際に利用される折り返ししろ３２，３２とされている。すなわち、図１に良く表れているように、上記収容体３は、第１シート材３０Ａ（第１および第２側面３０ａ，３０ｂ）の折り返ししろ３２，３２によって上記各フレーム部材２０，２１のそれぞれの水平部２０ａ，２１ａを包み込むような恰好で上記カート本体２に保持されている。なお、各折り返ししろ３２，３２によって各水平部２０ａ，２１ａが包み込まれた状態は、面ファスナ３３，３３によって良好に維持されている。
【００３０】
上記各保持手段４は、図１に良く表れているように第３および第４側面３０ｃ，３０ｄの上縁部に２個ずつ計４個設けられており、各保持手段４は上記収容体３の内面側に設けられている。これらの保持手段４は、図４および図５に示したように先端部がそれぞれ自由端とされた一対のべら部４Ａ，４Ｂを有している。これらのべら部４Ａ，４Ｂのうちの一方のべら部４Ａの先端部側には、雄部としての雄ホック４ａが設けられており、他方のべら部４Ｂの先端部側には、雌部としての雌ホック４ｂが設けられている。すなわち、上記雄ホック４ａを上記雌ホック４ｂに嵌合させることによって各べら部４Ａ，４Ｂの先端部どうしが連結されるようになされている。上記各べら部４Ａ，４Ｂは、たとえば長手状の布４０の折り返し部分４０Ａを固定することによってそれぞれの先端部が自由端とされている。上述したように、上記各保持手段４は、第３または第４側面３０ｃ，３０ｄを構成する第２または第３シート材３０Ｂ，３０Ｃの上縁を縁取る縁取り用布３１Ｂ，３１Ｃとともに縫製固定されている。すなわち、図５に良く表れているように、縁取り用布３１Ａ（３１Ｂ）とシート材３０Ｂ（３０Ｃ）の間に長手状の布４０の折り返し部分４０Ａが介在させられ、この状態で縁取り用布３１Ａ（３１Ｂ）とともにシート材３０Ｂ（３０Ｃ）の上縁端に縫製固定されている。上記雄ホック４ａは、雌ホック４ｂに対して嵌合可能であるとともに着脱自在とされており、雄部および雌部としては公知の雄雌嵌合式のホックが採用されている。
【００３１】
このような保持手段４では、上記べら部４Ａ，４Ｂの自由端を操作すれば、上記雄ホック４ａを上記雌ホック４ｂに容易に嵌合させることができ、また上記雄ホック４ａを上記雌ホック４ｂから容易に開放することができる。とくに、雄雌嵌合式のホックにおいては、一般的に上記雌ホック４ｂから上記雄ホック４ａを開放するのは容易ではないが、上記保持手段４は上記べら部４Ａ，４Ｂの先端部を操作することによって上記雌ホック４ｂから上記雄ホック４ａを容易に開放でき、操作性が良い。
【００３２】
以上説明した構成の運搬カート１は、たとえばオフィスビルなどにおいてゴミを回収する場合やホテルなどの施設においてタオルやシーツなどを回収・運搬するのに使用される。すなわち、上記収容体３の内部にゴミあるいはタオルやシーツなどを収容し、この収容体３とともにカート本体２を移動させることによってゴミなどが運搬される。そして、ゴミなどを回収する場合などには、上記収容体３の内部がゴミなどによって汚れたりしないように、あるいは回収したゴミなどを取り扱う際の便宜を考慮して、図６および図７に示したように上記収容体３の内部にポリ袋などの袋体６を開口状態で収容保持して使用される。そして、実質的には袋体６の内部にゴミなどが収容される。
【００３３】
袋体６を上記収容体３内に保持するには、図６および図７に良く表れているように上記各保持手段４が利用される。各保持手段４による袋体６の保持は、図５に良く表れているように雄ホック４ａを雌ホック４ｂに対して非嵌合状態としておき、各べら部４Ａ，４Ｂの間に袋体６の開口周縁部を介在させて雄ホック４ａを雌ホック４ｂに嵌合させるといった簡易な操作によって行われる。保持手段４は、上記したように対向する第３および第４側面３０ｃ，３０ｄの上縁部にそれぞれ２個ずつ計４個設けられていることから、袋体６を上記収容体３の内部に収容するとともに各保持手段４によって袋体６の開口周縁部を保持すれば、開口状態で袋体６が保持されることとなる。
【００３４】
上記袋体６の開口縁部を介在させた状態で上記雄ホック４ａと雌ホック４ｂを良好に嵌合させるためには、袋体６としては比較的に薄状に形成されたものを使用する必要がある。このため、上記袋体６の開口端部を貫通した状態で上記雄ホック４ａが上記雌ホック４ｂと嵌合しており、袋体６が損傷してしまうといった事態が生じかねない。しかしながら、上記袋体６を保持することによって上記雄ホック４ａが貫通して上記袋体６が損傷したとしても、損傷するのは上記袋体６の開口縁部であり、損傷した部位から上記袋体６の内部に収容されたゴミなどの収容物がこぼれるようなことはない。また、ゴミを回収する場合などには、袋体６を使い回すといったことを考慮する必要はなく、一般的には袋体６を使い捨てするため、このような観点からも上記袋体６が損傷しても問題はないといえる。結局、上記袋体６を上記雄ホック４ａおよび雌ホック４ｂを有する保持手段４によって保持し、これによって袋体６が損傷したとしてもさほど問題は生じない。
【００３５】
また、各保持手段４から袋体６を取り外す場合には、雄ホック４ａを雌ホック４ｂに対して非嵌合状態とすればよい。この操作は、上記したようにべら部４Ａ，４Ｂの先端部を引き離すように操作し、べら部４Ａ，４Ｂの先端部間を離間させるだけでよい。
【００３６】
このように、上記保持手段４を設けることによって、簡易かつ確実に開口状態で袋体６を収容体３内に収容保持しておくことができ、また従来のように使用者が洗濯ばさみやクリップなどを用意する必要はない。
【００３７】
なお、カート本体２の構成や収容体３の構成などは、本実施形態で説明した構成には限定されず種々に変更可能である。もちろん、上記した保持手段４の構成も、本実施形態に記載した構成には限定されず、種々に変更可能である。たとえば、図８に示したように、雌ホック４ｂあるいは雄ホック４ａが第３または第４の側面２０ｃ，２０ｄに直接的に取り付けられたような構成であってもよい。同図の保持手段４では、上記実施形態における他方のべら部４Ｂに相当する部位とともに雌ホック４ｂが第３または第４の側面２０ｃ，２０ｄに取り付けられている。もちろん、上記保持手段４を構成している長手状の布４０の端部を、上記雄ホック４ａあるいは雌ホック４ｂによって直接的に上記収容体３に取り付けることによって上記保持手段４を上記収容体３に設けてもよい。
【００３８】
また、図９および図１０に示したように、上記収容体３の外方側に各保持手段４を設けてもよい。これらの図に示した保持手段４は、第１シート材３０Ａの折り返ししろ３２，３２の端縁を縁取っている縁取り用布３２Ａ，３２Ａとともに、第１シート材３０Ａに取り付けられている。この保持手段４では、各フレーム部材２０，２１の水平部２０ａ，２１ａを各折り返ししろ３２，３２によって包み込むようにして収容体３をカート本体２に保持させた場合には、各保持手段４が上記収容体３の外方側に位置するようになされている。もちろん、上記収容体３の外方側に位置するようにして上記保持手段４を設ける場合にも、上記保持手段を構成している長手状の布４０を上記縁取り用布３２Ａ，３２Ａとともに上記収容体３に取り付ける必要はなく、上記布４０の端部を上記雄ホック４ａあるいは雌ホック４ｂによって直接的に上記収容体３に取り付けてもよい。
【００３９】
上記実施形態では、オフィスビルなどにおいてゴミを回収する場合やホテルなどの施設においてタオルやシーツなどを回収・運搬する場合に使用される運搬カート１について説明したが、本願発明はこれに限定されない。すなわち、上記運搬カート１をごみ箱として使用することもでき、この場合にはキャスタ５を設けるがどうかは選択的事項となる。すなわち、ごみ箱として構成する場合には、据え置き式あるいは移動式のいずれの構成をも採用することができる。また、金属製や樹脂製などのパネル材によって上記カート本体２を囲んで筐体状の保持体を構成し、この保持体と収容体３とによってごみ箱とすることもできる。もちろん、上記収容体３の上部開口を直接的に、あるいは間接的に覆うように構成してもよい。
【００４０】
その他、上述した保持手段４を有する収容体３を、硬質な樹脂や金属などによって形成し、収容体３自体をごみ箱として使用することができる。また、収容体３の上部開口を閉塞する蓋を設けるとともに、この蓋にごみを投入するための開口を設けてごみ箱として構成されたものも本願発明の技術範囲内に属する。
【図面の簡単な説明】
【図１】本願発明に係る運搬カートの一例を表す全体斜視図である。
【図２】上記運搬カートのカート本体を表す全体斜視図である。
【図３】運搬カートの収容体の分解斜視図である。
【図４】保持手段を説明するための上記収容体の要部を拡大した斜視図である。
【図５】上記収容体の要部を拡大した断面図である。
【図６】上記運搬カートに袋体を保持した状態を説明するための上記運搬カートの一部を破断した全体斜視図である。
【図７】図６のVII −VII 線に沿う断面図である。
【図８】保持手段の変形例を説明するための上記収容体の要部を拡大した断面図である。
【図９】保持手段のその他の変形例を説明するための上記運搬カートの全体斜視図である。
【図１０】図９のX −X 線に沿う断面図である。
【図１１】従来の運搬カートの一例を表す全体斜視図である。
【図１２】  図１０のXII−XII線に沿う断面図である。
【符号の説明】
１  運搬カート
２  カート本体
３  収容体
６  袋体
４Ａ，４Ｂ    べら部
４ａ  雄ホック（雄部としての）
４ｂ  雌ホック（雌部としての）
【図１】
0004095172.tif 000002
【図２】
0004095172.tif 000003
【図３】
0004095172.tif 000004
【図４】
0004095172.tif 000005
【図５】
0004095172.tif 000006
【図６】
0004095172.tif 000007
【図７】
0004095172.tif 000008
【図８】
0004095172.tif 000009
【図９】
0004095172.tif 000010
【図１０】
0004095172.tif 000011
【図１１】
0004095172.tif 000012
【図１２】
0004095172.tif 000013